(57)【特許請求の範囲】
【請求項１】
スイッチ操作部の前部に、復帰ばねを介して待機位置にばね付勢されたキャップ状の押ボタン，および該押ボタンの周域を包囲するベゼルを備え、かつ前記押ボタンにトリガーばねを介して連結した接点駆動用の押棒を操作部のフレームに内挿した上で、該フレームと前記押棒との間に、前方から押し込んだ押ボタンをロック位置に係止し、押ボタンの捻回操作により係止を解除するロック機構を備えたプッシュロック／ターンリセット式の非常停止用押ボタンスイッチであって、前記ベゼル，および押ボタンの周壁に錠前のフックを嵌挿して掛け止めする施錠穴を内外に向かい合わせて開口するとともに、その内周側に押ボタンのプッシュロック，ターンリセット操作に連動して前記施錠穴を開閉するシャッタ部材を配備したものにおいて、
前記シャッタ部材の開閉機構として、シャッタ部材の周上に開閉ガイドを設け、該開閉ガイドを押ボタンの周壁に形成した案内溝に嵌入してシャッタ部材を軸方向へ移動可能に案内支持した上で、この開閉ガイドには前記フレームに向けて突き出すようばね付勢されたロックピンを設けるとともに、該ロックピンに対向して前記フレームには押ボタンの待機位置でシャッタ部材を閉塞位置に係合保持し、押ボタンのプッシュロック操作によりロック位置で係合を解除するストッパ部と、該ストッパ部との係合を解除した状態から前記ロックピンの付勢ばね力を受けてシャッタ部材を開放位置に移動させる開放ガイドカム部と、押ボタンのターンリセット操作により前記ロックピンを介してシャッタ部材を開放位置から閉塞位置に移動させる復帰ガイドカム部とを形成したことを特徴とする非常停止用押ボタンスイッチ。
【発明の詳細な説明】
【技術分野】
【０００１】
本発明は、制御盤，分電盤などに装備して使用するプッシュロック／ターンリセット式の非常停止用押ボタンスイッチに関し、詳しくスイッチのロック位置で押ボタンに錠前を掛けて不測なリセット操作を防止するようにしたシャッタ付き施錠機構に係わる。
【背景技術】
【０００２】
周知のように、頭記の非常停止用押ボタンスイッチは緊急非常時に押ボタンを押動操作（トリガ・アクション）して負荷（機械設備）の給電回路を強制断路するとともに、押しボタンを一旦押動操作してスイッチを切換動作させた後は、押ボタンから手を離しても接点機構を開極位置に自己保持させるセフティロック機能を備えたプッシュロック式のコマンドスイッチであり、制御盤，分電盤などの盤パネルに装着して使用する。
【０００３】
また、この非常停止用押ボタンスイッチをロック位置から待機（ノーマル）位置に復帰させるリセット方式としては、押ボタンを引き戻すプルリセット方式と押ボタンを捻回操作して戻すターンリセット方式（例えば、特許文献１参照）があり、安全性確保の面からは誤動作防止機能の高いプッシュロック／ターンリセット式の非常停止用押ボタンスイッチが広く採用されている。
【０００４】
ところで、非常停止用押ボタンスイッチを押動操作して負荷を停止させた状態でも、機械設備の点検中に保守員，あるいは第三者が誤って非常停止用押ボタンスイッチをリセット操作すると、負荷（機械設備）が活線状態になって作業中の保守員が感電するなどの事故が発生する恐れがあって危険である。
【０００５】
そこで、従来では操作部に押ボタンを覆う施錠可能な保護カバー（誤操作防止カバー）を取り付けたり、シリンダ錠を押ボタンに設け、キーを挿入して解錠しないとスイッチのリセット操作ができないようにした鍵付きスイッチを用いたりしている。しかしながら、誤操作防止カバーはスイッチ本体と別部品であるため、盤側にカバーの設置スペースを確保する必要がある。また、鍵付きスイッチは解錠キーが一本（一種類）であるため、現場で作業する複数の保守員がそれぞれキーを保有して二重、三重の安全を図りたい場合には対応できないという問題がある。
【０００６】
一方、前記問題の対応策として、非常停止用押ボタンスイッチの操作部に押ボタンの外周を囲むベゼルを追加装備した上で、このベゼルの周壁，および押ボタンの周壁に錠前のフックを通す施錠穴を開口しておき、押ボタンを押動操作したスイッチのロック位置で前記押ボタンを周方向に回転させて押ボタンの施錠穴がベゼルの施錠穴と内外で重なり合うように移動し、この重なり合った施錠穴に錠前（例えば、南京錠）を掛けて押ボタンをロック位置に施錠できるようにした非常停止用押ボタンスイッチが知られている（特許文献２参照）。
【特許文献１】特開２００３−１７８６４３号公報
【特許文献２】特開２００６−０４９１７６号公報
【発明の開示】
【発明が解決しようとする課題】
【０００７】
前記の特許文献２に開示されている非常停止用押ボタンスイッチでは、押ボタンの待機位置，および押動操作の途中では押ボタンおよびベゼルに開口した施錠穴が合致しないようにあらかじめ周方向にずらしておき、押ボタンが終端位置まで押し込まれてスイッチ部の接点が切換動作したロック位置で押しボタンを周方向に回転させて双方の施錠穴が内外に重なり合って合致するようにしている。これにより、押ボタンスイッチのロック位置で錠前による施錠を可能にし、他の操作状態では錠前を掛けて誤鎖錠するのを防止できる。
【０００８】
ところで、前記の非常停止用押ボタンスイッチは、押ボタンの待機位置ではベゼルの周面に開口した施錠穴と押ボタンの周面に開口した施錠穴が互い重なりあわないように押ボタンの捻回操作角度（通常は４５度）の範囲で互いに周方向にずらして形成しておく構造上の制約があり、したがって、個々の施錠穴は周方向の穴幅が制限されてあまり広げることができない。このために、南京錠などのフックを前記施錠穴に挿通して錠前を掛ける場合に、その作業がやり難い不便さがあるほか、鎖錠穴に錠前を掛けた状態でも錠前の動きが著しく制限されることにから、施錠，解錠の際に錠前の向きを自由に変えてキーを差込み易い向きに回動させることが困難となるなど使い勝手性にも問題がある。
【０００９】
そのほか、特許文献１に開示されているプッシュロック／リターンリセット方式の非常停止用押ボタンスイッチの押ボタンロック機構は、そのプッシュロック行程で押ボタンを軸方向に押し込み、そのまま周方向に回転させずにロック位置に係止し、ターンリセット操作時に押ボタンを捻回操作して係止を釈放するようなロック構造を基本としていることから、この非常停止用押ボタンスイッチに前記した特許文献２の施錠方式をそのまま適用することはできない。
【００１０】
この発明は上記の点に鑑みなされたものであり、ロック位置で押ボタンに錠前が掛けられるようにスイッチの操作部に設けた施錠穴を周方向に広げて錠前の掛け止め，施錠，解錠作業を楽に行うことができ、併せてこの施錠穴に併設したシャッタ部材を押ボタンのプッシュロック，ターンリセット操作に連動して的確に開放，閉塞位置に移動できるようにして施錠管理機能を高めたシャッタ付きの非常停止用押ボタンスイッチを提供することを目的とする。
【課題を解決するための手段】
【００１１】
上記目的を達成するために、この発明によれば、スイッチ操作部の前部に、復帰ばねを介して待機位置にばね付勢されたキャップ状の押ボタン，および該押ボタンの周域を包囲するベゼルを備え、かつ前記押ボタンにトリガーばねを介して連結した接点駆動用の押棒を操作部のフレームに内挿した上で、該フレームと前記押棒との間に、前方から押し込んだ押ボタンをロック位置に係止し、押ボタンの捻回操作により係止を解除するロック機構を備えたプッシュロック／ターンリセット式の非常停止用押ボタンスイッチであって、前記ベゼル，および押ボタンの周壁に錠前のフックを嵌挿して掛け止めする施錠穴を内外に向かい合わせて開口するとともに、その内周側に押ボタンのプッシュロック，ターンリセット操作に連動して前記施錠穴を開閉するシャッタ部材を配備したものにおいて、
前記シャッタ部材の開閉機構として、シャッタ部材の周上に開閉ガイドを設け、該開閉ガイドを押ボタンの周壁に形成した案内溝に嵌入してシャッタ部材を軸方向へ移動可能に案内支持した上で、この開閉ガイドには前記フレームに向けて突き出すようばね付勢されたロックピンを設けるとともに、該ロックピンに対向して前記フレームには押ボタンの待機位置でシャッタ部材を閉塞位置に係合保持し、押ボタンのプッシュロック操作によりロック位置で係合を解除するストッパ部と、該ストッパ部との係合を解除した状態から前記ロックピンの付勢ばね力を受けてシャッタ部材を開放位置に移動させる開放ガイドカム部と、押ボタンのターンリセット操作により前記ロックピンを介してシャッタ部材を開放位置から閉塞位置に移動させる復帰ガイドカム部とを形成する（請求項１）。
【発明の効果】
【００１２】
上記構成によれば、押ボタンの周壁，およびベゼルの周壁に開口する施錠穴が向かい合って内外に並ぶよう配置して形成したので、押ボタンのリセット操作における捻回角度に規制されることなく、各施錠穴を周方向へ充分に広げて開口することが可能となる。これにより、施錠穴に錠前のフックを楽に挿通して掛け止めすることができるほか、錠前を施錠穴に掛けた状態でもキーが挿入し易いように錠前の向き，姿勢を自由に変えて施錠，解錠作業を楽に行うことができて使い勝手，利便性が向上する。
【００１３】
また、押ボタンのプッシュロック，ターンリセット操作に連動して前記施錠穴を開閉するシャッタ部材を設けたことで、シャッタ無しの構造と比べて施錠の管理機能を高めることがでるほか、そのシャッタ開閉機構を、シャッタ部材に設けた開閉ガイドのロックピンと、このロックピンに対向して操作部のフレームに形成したストッパ部，開放ガイドカム部，および復帰ガイドカム部とで構成したことにより、前記ロックピンを中核部品とした簡易，かつコンパクトな機構でシャッタ部材を押ボタンのプッシュロック，ターンリセット操作に連動して的確に開放位置，閉塞位置に移動させることできる。
【００１４】
しかも、前記したシャッタ部材，およびシャッタ開閉機構は、先記特許文献１のように、スイッチのプッシュロック行程では押動操作した押ボタンを周方向に回転させずにそのままロック位置に係止するプッシュロック／ターンリセット方式の非常停止用押ボタンスイッチに対し、そのロック機構を含むスイッチの基本構造，操作機能を変えることなしに適用できる。
【発明を実施するための最良の形態】
【００１５】
以下、この発明の実施の形態を図示実施例に基づいて説明する。なお、図１は非常停止用押ボタンスイッチの分解斜視図、図２〜図５はそれぞれ押ボタンの待機，プッシュロック操作の途中，ロック、ターンリセット操作途中の状態に対応するスイッチの斜視図、図６〜図８はそれぞれ押ボタンの待機，プッシュロック操作の途中，ロックの各状態に対応する押ボタンのロック機構，およびシャッタ開閉機構の動作説明図、図９はスイッチの穴に錠前を掛けて施錠した状態を表す斜視図であり、図１〜図８ではスイッチの前部に配した押ボタンの端面を上に向けて描かれている。
【００１６】
図１において、１はスイッチ操作部のフレーム、２はフレーム１の前部に配した押ボタン、３は押ボタン２の周域を包囲してフレーム１にねじ込み結合した円筒状のベゼル、４はフレーム１と押ボタン２との間に介挿した復帰ばね（捩じりコイルばね）、５は押ボタン２の内筒部２ａ（図６参照）にトリガーばね６を挟んで連結した押棒であり、フレーム１の後部に延在する小径筒部の内部に接点機構（不図示）が組み込まれ、前記押棒５をアクチュエータとしてその先端が接点機構に連繋されている。なお、前記の各部品は一部の金属部品を除いて樹脂モールド品で構成されている。
【００１７】
ここで、前記押棒５の外周面には軸方向に沿って形成したリブ状のガイド５ａ，および上下に係合爪５ｂ，５ｃを形成した上で、ガイド５ａを押ボタン２の内筒２ａに形成した軸方向のガイド溝に嵌合して軸方向にのみ相対移動できるように連結している。さらに押棒５の下部周面上に開口した角穴には後記のように内側からばねで押圧して外周面から突き出すように付勢したロックチップ８を設け、このロックチップ８をフレーム１の内壁周面に沿って形成した凸条ストッパ１ａに対峙させている。なお、この凸条ストッパ１ａは、押ボタン２の捻回角度に合わせて周方向の延在長さを設定しており、スイッチのターンリセット時に押ボタン２を周方向に捻回操作すると、前記のロックチップ８が凸条ストッパ１ａの切れ目を擦り抜けて押棒５との係合を解除するようにしている。
【００１８】
上記したスイッチの構造は先記の特許文献１に開示されている非常停止用押ボタンスイッチと基本的に同様であり、そのプッシュロック／ターンリセット操作は特許文献１に詳しく述べられている。
【００１９】
また、図示実施例の非常停止用押ボタンスイッチには、押ボタン２に南京錠などの錠前を掛けてロック位置に施錠するために（図９で参照）、押ボタン２およびベゼル３の周面には錠前を掛け止めする施錠穴２ｂ，３ａを開口し、さらにフレーム１の周面には前記施錠穴２ｂ，３ａと連通し合う凹溝１ｅが形成されている。なお、ベゼル３に開口した施錠穴３ａは周方向に間隔を置いて開口した左右１対の長方形の穴で形成しているのに対して、この施錠穴３ａの内側に向かい合わせて形成した押ボタン２の施錠穴２ｂ，およびフレーム１の凹溝１ｅは、ベゼル３に形成した左右一対の施錠穴３ａに跨がるような長さに設定されている。また、押ボタン２，ベゼル３には複数組の施錠穴を周上に並べて設けることができ、図示実施例ではスイッチ操作部の左右両側面に割り付けて２組の施錠穴を備えている。
【００２０】
一方、押ボタン２の内周側には押ボタンのプッシュロック／ターンリセット操作に連動して前記施錠穴２ｂ，３ａを開閉する円筒状のシャッタ部材７が前記フレーム１と押ボタン２との間に介挿配備されている。また、このシャッタ部材７には周上に開閉ガイド９を設け、そのばね受座９ａに圧縮コイルばね１０を介して内周側に突き出すように押圧付勢したロックピン１１を次記のようにフレーム１の外周面側に対峙させており、スイッチの組立状態ではシャッタ部材７の外周に突き出た前記ばね受座９ａを押ボタン２の周面に形成したシャッタガイド溝２ｃに嵌入して軸方向へ移動可能に案内支持している。
【００２１】
すなわち、前記のロックピン１１に対向してフレーム１の外周面にはストッパ部１ｂ，開放ガイドカム部１ｃ，および復帰ガイドカム部１ｄを形成してシャッタ開閉機構を構成し、押ボタン２のプッシュロック，ターンリセット操作に連動してシャッタ部材７を開放，閉塞位置に移動制御するようにしている。ここで、ストッパ部１ｂは図６（ｂ）の断面図で表すようにフレーム１の周面から膨出した凸状段部であり、このストッパ部１ｂに連ねてその背後側には膨出寸法を漸次縮小するように図面上で下向きに傾斜したテーパー状の開放ガイドカム部１ｃが形成されており、さらに開放ガイドカム部１ｃの側方には周方向に沿って上向きに傾斜したテーパー状の復帰ガイドカム部１ｄが形成されている。
【００２２】
次に、前記構成になる非常停止用押ボタンスイッチの各操作状態を図２〜図５、および図６〜図８で説明する。なお、図６〜図８において（ａ）図，（ｂ）図はそれぞれ図１の矢視Ｘ−Ｘ，Ｙ−Ｙに沿った内部機構の断面図を表している。
【００２３】
まず、図２，図６（ａ），（ｂ）は非常停止用押ボタンスイッチの待機（ノーマル）状態を表し、押ボタン２は復帰ばね４のばね力を受けてフレーム１の前方に突き出している。この待機状態では、押ボタン２に係合爪５ｂを介して連結された押棒５が前方に移動して接点機構（ｂ接点）を閉極位置に保持している。また、押ボタン２に開口した施錠穴２ｂは図示のようにベゼル３の施錠穴３ａと合致しないよう前方にずれて位置し、さらにシャッタ部材７は次記のように施錠穴３ａを閉塞する位置に係止保持されている。
【００２４】
すなわち、図６（ｂ）で示すように、待機状態ではシャッタ部材７に設けたロックピン１１がばね付勢を受けてフレーム１に形成したストッパ部１ｂの凸状段部に当接係合し、この位置でシャッタ部材７を閉塞位置に保持している。なお、この待機状態では、押棒５の後端に形成した係合爪５ｃがフレーム１の内周壁面に形成したストッパ１ｆに係合してこの位置に係止保持されている。
【００２５】
次に、前記の待機状態から押ボタン２を押動操作すると、ロック位置に到達する直前では図３および図7（ａ），（ｂ）で示すように押ボタン２の鎖錠穴２ｂとベゼル３の施錠穴３ａ、およびフレーム１の凹溝１ｅが内外で合致するようになるが、シャッタ部材７は依然として待機状態と同じ閉塞位置に係合保持されており、この状態ではベゼル３の施錠穴３ａに錠前を掛けることができない。
【００２６】
そして、図３の位置から押ボタン２がさらに押し込まれると、トリガーばね６（トリガーばね６のばね定数は復帰ばね４よりも小）を圧縮して押棒５を軸方向に押圧する。一方、この押圧力を受けた押棒５は、図８（ａ）で示すようにロックチップ８がフレーム１の凸条ストッパ１ａの段部を乗り越えてロック位置に係止されるとともに、押棒５の先端がフレーム１の後端部に内蔵した接点機構の接点（ｂ接点）を開極させる。
【００２７】
また、押ボタン２をこのロック位置に押し込むと、ガイド溝２ｃ（図１参照）に嵌合して案内支持されている開閉ガイド９のばね受座９ａを軸方向に押圧する。これにより、いままでフレーム１のストッパ部１ｂに係止保持されていたロックピン１１（図７（ｂ）参照）が、フレーム１のストッパ部１ｂを乗り越えてシャッタ部材７の係止を解除する。同時に凸状のストッパ部１ｂを乗り越えてその背後の開放ガイドカム部１ｃに移動したロックピン１１には、開放ガイドカム部１ｃの傾斜カム面に沿って圧縮コイルばね１０のばね力が加わる。これにより、シャッタ部材７はロックピン１１とともに、図８（ａ），（ｂ）に示すように閉塞位置から後退移動して鎖錠穴２ｂ，３ａを完全に開放する。
【００２８】
この状態になると、図９で示すように押ボタン２およびベゼル３の周面に左右に振り分けて開口した鎖錠穴２ｂおよび３ａに南京錠１２，シザースロック１３（複数の南京錠に対応した施錠補助具）のフック１２ａ，１３ａを挿通して掛け止めした上で、シザースロック１３に開口した複数の各施錠穴に南京錠を掛けて多重に施錠することができる。この場合に、施錠穴２ｂ，３ａは先記のように周方向の穴幅が広くなっているので、錠前のフック掛け作業が楽に行える。また、この鎖錠穴２ｂ，３ａに前記のフック１２ａ，１３ａを掛け止めした状態でも、錠前を広範囲に動かして施錠，解錠作業がやり易い姿勢に変えることが可能である。
【００２９】
このように、非常停止用押ボタンスイッチをプッシュロック操作して機械設備を強制停止した状態で、機械設備を点検する保守員が図９のように押ボタン２，ベゼル３に錠前を掛けて施錠しておけば、当事者以外の第三者によるスイッチのリセット操作を確実に防ぐことができる。
【００３０】
次に、非常停止用押ボタンスイッチのターンリセット操作時における動作を説明する。すなわち、図９の施錠状態から錠前（南京錠１２，シザースロック１３）を解錠してベゼル３の施錠穴３ａから取り外した後に、押ボタン２を図５の矢印方向（時計方向）に向けて約４５°手動で捻回操作すると、押ボタン２と一緒に押棒５が周方向に回転し、押棒５の周面に突き出しているロックチップ８がフレーム１に形成した凸条ストッパ１ａの切れ目を擦り抜けて押棒５の係合が解除される。これにより、押ボタン２，および押棒５は復帰ばね（捻りコイルばね）４のばね力を受けてロック位置（図４参照）から前方に向け移動して接点機構をリセットするととともに、押ボタン２は図２の待機位置に復帰する。また、スイッチのタ-ンリセット操作に合わせて押ボタン２を矢印方向に捻回すると、シャッタ部材７が押ボタン２と一緒に時計方向に回転する。これにより、開閉ガイド９に設けたロックピン１１がフレーム１に形成した開放ガイドカム部１ｃの終端から復帰ガイドカム部１ｄに移行し、その傾斜カム面に沿って前方に押出しガイドされるとともに、シャッタ部材７も図８に示した開放位置から図２の閉塞位置に移動して待機状態に復帰する。
【図面の簡単な説明】
【００３１】
【図１】本発明の実施例による非常停止用押ボタンスイッチの分解斜視図
【図２】図１のスイッチで押ボタンの待機状態を表す外観斜視図
【図３】図１のスイッチで押ボタンのプッシュロック操作途中の状態を表す外観斜視図
【図４】図１のスイッチで押ボタンのロック状態を表す外観斜視図
【図５】図１のスイッチで押ボタンのタ-ンリセット操作途中の状態を表す外観斜視図
【図６】図２に対応する押ボタンのロック機構，およびシャッタ開閉機構の動作説明図で、（ａ），（ｂ）はそれぞれ図１の矢視Ｘ−Ｘ，Ｙ−Ｙ断面図
【図７】図３に対応する押ボタンのロック機構，およびシャッタ開閉機構の動作説明図で、（ａ），（ｂ）はそれぞれ図１の矢視Ｘ−Ｘ，Ｙ−Ｙ断面図
【図８】図４に対応する押ボタンのロック機構，およびシャッタ開閉機構の動作説明図で、（ａ），（ｂ）はそれぞれ図１の矢視Ｘ−Ｘ，Ｙ−Ｙ断面図
【図９】図４のロック状態で施錠穴に錠前を掛け止めした状態の外観斜視図
【符号の説明】
【００３２】
１    フレーム
１ｂ  ストッパ部
１ｃ  開放ガイドカム部
１ｄ  復帰ガイドカム部
２    押ボタン
２ｂ  施錠穴
３    ベゼル
３ａ  施錠穴
４    復帰ばね
５    押棒
６    トリガーばね
７    シャッタ部材
８    ロックチップ
１１    ロックピン
【図１】
0004927023.tif 000002
【図２】
0004927023.tif 000003
【図３】
0004927023.tif 000004
【図４】
0004927023.tif 000005
【図５】
0004927023.tif 000006
【図６】
0004927023.tif 000007
【図７】
0004927023.tif 000008
【図８】
0004927023.tif 000009
【図９】
0004927023.tif 000010